(57)【要約】【課題】フード体、前板等の本体構成体の下端部に丸みのある優しいイメージを使用者に与えながら剛性を付与した上に、清掃時の安全性を図り、製造コストも廉価なレンジフードを提供する。【解決手段】フード体、前板等の本体構成体Ａ１の下端部内側にコーナーに連続してカール部Ｃを同一体に形成する。そのカール部Ｃは、平面状を呈し端部にカール加工を施した本体構成体Ａ１用の金属薄板における本体構成体Ａ１のコーナーに該当する箇所の曲げ加工によって本体構成体Ａ１のコーナーに沿って一体成形される。【選択図】図２
2006118743.tif 000002
【特許請求の範囲】
【請求項１】
フード体、前板等の本体構成体の下端部内側に向けてカール部を一体形成したことを特徴とする特徴とするレンジフード。
【請求項２】
前記カール部を、前記本体構成体のコーナーに連続して形成したことを特徴とする請求項１記載のレンジフード。
【請求項３】
前記カール部は、平面状を呈し端部にカール加工を施した本体構成体成形用の金属薄板における本体構成体のコーナーに該当する箇所の曲げ加工で、そのコーナーに沿って一体成形されていることを特徴とする請求項２記載のレンジフード。
【発明の詳細な説明】
【技術分野】
【０００１】
本発明はレンジフード、更に詳しくはレンジフードを構成するフード本体、前板等の本体構成体下端部の補強構造に関するものである。
【背景技術】
【０００２】
旧来、フード体１、前板等の廃ガスの捕捉空間を構成する本体構成体Ａ１は、図４に示すように、金属製の平板をプレス加工して形成されるが、その端縁である下端縁に下端開口縁に上向き略コの字状の折り曲げ片７を内向きに周設して、下端部の剛性を上げていた。この種のレンジフードにあっては、コーナー部分ではフードの形状に沿って曲げられないので、曲げ加工した後、コーナー部分に別部材１７を溶接や加締等で取付けて強度を保持する必要があり、製造工程が多くかかって、コスト高騰の原因になっていた。
その上、上向き略コの字状への折り曲げ加工の場合、その折り曲げ片７が大きく露出し、外観イメージを損い商品価値を低下させたり、金属板の端部が鋭利に露出するので、清掃時に使用者が誤って負傷する可能性もあった（前者）。
そこで、図５に示すように前記本体構成体Ａ１の下端に内向き片部８を適宜間隔をおいて折曲し、その内向き片部８に断面円形の縁部材９をレーザー溶接で取付けて、その縁部材９で本体構成体Ａ１の補強と化粧とを兼備させている（（後者）特許文献１参照）。
これによって、下端縁が角張ったイメージではなく、丸みをもった優しいイメージを使用者に与えるため、商品価値の高揚を図ることができる。
【０００３】
しかしながら、本体構成体Ａ１から折曲する内向き片部８の端縁が露出して、これが清掃時の危険箇所になり、また溶接時の仕上がりが悪い時等には、別途仕上げ加工が必要となり、製造工程を増やして、製造コストを高騰させる原因になっている。
尚、本願出願人が知っている前記の先行技術（前者）は、文献公知発明に係るものではないため、本願明細書には先行技術文献情報を開示しない。
【特許文献１】特開２００２−３１０４７７号公報
【発明の開示】
【発明が解決しようとする課題】
【０００４】
本発明は上記従来事情に鑑みてなされたもので、その目的とする処は、フード体、前板等の本体構成体の下端部に丸みのある優しいイメージを使用者に与えながら剛性を付与した上に、清掃時の安全性を図り、製造コストも廉価なレンジフードを提供することにある。
【課題を解決するための手段】
【０００５】
前記課題を解決するために講じた技術的手段は、フード体、前板等の本体構成体の下端部内側に向けてカール部を一体形成したことを特徴とする特徴とするレンジフードである（請求項１）。
そして、そのカール部を、前記本体構成体のコーナーに連続して形成すると有効なものである（請求項２）。
また、そのカール部は、平面状を呈し端部にカール加工を施した本体構成体成形用の金属薄板における本体構成体のコーナーに該当する箇所の曲げ加工で、そのコーナーに沿って一体成形されていることである（請求項３）。
ここで、本体構成体とは、廃ガスの捕捉空間を確保するフード部材を指している。
【０００６】
以上の手段によれば、フード体、前板等の本体構成体下端部内側のカール部が、先行技術に開示する上向き略コの字状の折り曲げ片よりも小形にした上に断面円形の縁部材を溶接したレンジフードとほぼ似かよった丸みのあるデザイン性と剛性とを本体構成体に与える。
【発明の効果】
【０００７】
本発明は以上のようにフード体、前板等の本体構成体下端部に内側に向けてカール部を一体形成した補強構造を有するものであるから、上向き略コの字状の折り曲げ片を内向きに折り曲げ加工したり、本体構成体の下端に断面円形の縁部材を取付ける内向き片部を折り曲げ加工した場合のように、折り曲げ片の縁や内向き片部の縁が露出して清掃時に誤って怪我することがなく、安全である。
しかも、上向き略コの字状に折り曲げ加工した場合に比して小形でごつい感じを使用者に与えることもないし、内向き片部に断面円形の縁部材を溶接した場合のようにフード体とその断面円形な縁部材とが溶接の仕上がりの悪さで別体に認識されるような虞れもなく、より流麗でスマートさを惹起して高級感を与え、商品価値を高揚できる。
その上、カール部は金属円管と同様にベンダー等で曲げ加工してもその断面巻き毛形状を維持して所要の形状に折り曲げ可能であるので、平板状の金属薄板の端部に設けた状態のままその金属薄板をベンダー等で曲げ加工することによって本体構成体のコーナーに沿ってその中空部を押し潰すことなく所定の断面形状を維持して一体成形される。そのため、上向き略コの字状に折り曲げ加工した場合のように本体構成体の曲げ加工後、コーナー部分に別部材を溶接や加締等で取付けて強度を保持したり、本体構成体の曲げ加工後、内向き片部に断面円形の縁部材を溶接する必要がないので、構成部品並びに製造工程を削減し、製造コストと共に材料コストを大幅に低減することができる。
【発明を実施するための最良の形態】
【０００８】
次に本発明レンジフードの実施の形態を図１〜図３に基づいて説明すると、符号Ａはそのレンジフードである。
【実施例１】
【０００９】
レンジフードＡは、図１に示すように、下面を開放した扁平薄型状のフード体１の天板（図示せず）に送風機ユニット２を搭載し、その送風機ユニット２と連通して排気口（図示せず）を同天板に開口し、その排気口をフード体１内で下方から塞ぐようにグリスフィルタ３を設け、そのグリスフィルタ３をその下方から整流板４で視認不能に隠蔽し、送風機ユニット２を幕板で前方から隠したタイプのものを図示し、フード体１の後端側に照明用ケース６をその横幅方向全長に亘って設けて、そのケース６に下方を照らす照明１６を装設している。
【００１０】
そして、そのフード体１、前板等の本体構成体Ａ１の下端部に内側に向けてカール部Ｃを同一体に形成している。
【００１１】
このカール部Ｃは、従来から周知なようにカール加工される。その端部処理は図２に示すように端部を水平状、直線状にしてその端面を本体構成体Ａ１の裏面に近接または当接させる。図３（ａ）に示すように、端部を本体構成体Ａ１の裏面に沿って折り込む。図３（ｂ）に示すように端部を巻き毛のように本体構成体Ａ１の裏面に沿うようにする。等少なくとも端部が外部に露出しないようにして加工されている。
【００１２】
本体構成体Ａ１のコーナーにおいては、図示しないが本体構成体用の金属製平板の端部にカール加工を施し、その金属製平板において本体構成体のコーナーに該当する箇所をベンダー等を使用して曲げ加工することによってカール部がその本体構成体のコーナーに沿って連続するように一体形成されるようにしている。
【００１３】
本実施の形態においては、前記照明用ケース６が添設する背面部を除くフード体１の３側面に連続してカール加工を施したタイプを示している。
無論、その背面部下端部にもカール部を形成しても勿論良いものである。
【００１４】
ちなみに、レンジフードとしては、前記する構成態様のものに限定されるものではなく、前板で前方空間を被蓋するブーツ型と呼称されるタイプ、平型と呼称されるタイプ、整流板を具備しない薄型タイプ、アイランドタイプ、オープンキッチン用等、広狭に関わらず廃ガスの捕捉空間を有するフード部材を有するものであれば全ての構成態様のものを包含するものである。
【００１５】
以上のように構成されているレンジフードＡは、フード体１、前板等の廃ガスの捕捉空間を構成する本体構成体Ａ１の下端部に内向きに一体形成したカール部Ｃで、本体構成体Ａ１に剛性を付与し、尚且つ丸みのある優しいイメージを使用者に与えて高級感を引き出した上に清掃時に手指に優しく、しかも製造工程を単純化すると共に使用材料を削減して、非常に安価に提供することができる。
【図面の簡単な説明】
【００１６】
【図１】本実施の形態レンジフードの斜視図。
【図２】要部の斜視図。
【図３】カール部の拡大断面図で、（ａ）は、端部を本体構成体の裏面に沿って折り込んだ場合、（ｂ）は、端部を巻き毛のように本体構成体の裏面に沿わした場合。を各々示す。
【図４】従来のレンジフードの要部の斜視図で一部切欠して示す。
【図５】更に別の従来のレンジフードの要部を示し、（ａ）は斜視図、（ｂ）は、要部の拡大断面図である。
【符号の説明】
【００１７】
Ａ:レンジフード        Ａ１：本体構成体
１：フード体              Ｃ：カール部
【図１】
2006118743.tif 000003
【図２】
2006118743.tif 000004
【図３】
2006118743.tif 000005
【図４】
2006118743.tif 000006
【図５】
2006118743.tif 000007